(57)【要約】【課題】少ない曲名表示行数しか有さない表示手段であっても、多数の曲名表示行数をもつ表示手段と同等の曲表示を実現し、検索時間や操作性などの検索性能を改善した項目検索方法を提供する。【解決手段】表示可能行数が２行の表示手段に対して、再生可能曲名を列中央に１行配し、その上段には、中央の曲名に対して前項目となる曲名を文字列の特定部分を表示し、下段には、後項目となる曲名を文字列の特定部分を表示する。特定部分は、上半分または下半分とする（Ａ）。あるいは最下段または最上段を除く上半分または下半分とする（Ｂ）。あるいは、後半部または前半部とする（Ｅ、Ｆ）。【選択図】図３
2007122430.tif 000002
【特許請求の範囲】
【請求項１】
所定の順序で配列された複数の項目を、操作手段からの信号に応じて表示手段に表示する方法であって、前記表示手段が、Ｎ行（Nは２以上の整数）のうちＮ−１行を行方向で略中央部となるところに配置し、前記N−１行の上の部分に、その前項目となる１項目の特定部分を表示し、前記Ｎ−１行の下の部分に、その後項目となる１項目の特定部分を表示することを特徴とする項目表示方法。
【請求項２】
前記Ｎ−１行の上の部分に表示される１項目は、その下半分を特定部分として表示し、前記Ｎ−１行の下の部分に表示される１項目は、その上半分を特定部分として表示することを特徴とする請求項１記載の項目表示方法。
【請求項３】
前記Ｎ−１行の上の部分に表示される１項目は、そのフォントの最下段を除く下半分を特定部分として表示し、前記Ｎ−１行の下の部分に表示される１項目は、そのフォントの最上段を除く上半分を特定部分として表示することを特徴とする請求項１記載の項目表示方法。
【請求項４】
前記表示されている行において、今後再生されるべき曲に対する表示面積を今後再生されない曲に対する表示面積より大きくすることを特徴とする請求項１記載の項目表示方法。
【請求項５】
前記Ｎ−１行の上の部分に表示される１項目は、その後半部を特定部分として表示し、前記Ｎ−１行の下の部分に表示される１項目は、その前方部を特定部分として表示することを特徴とする請求項１記載の項目表示方法。
【請求項６】
所定の順序で配列された複数の項目を、操作手段からの信号に応じて、Ｎ（Ｎは２以上の整数）行表示可能な表示手段に順番に表示して所望の項目を検索する項目表示方法において、前記表示手段が、スクロール時はＮ行を表示し、スクロール停止時はＮ行のうちＮ−１行を行方向で略中央部となるところに配置し、表示されている行の上の部分に、その前項目となる１項目の各文字における下半分を表示し、表示されている行の下の部分に、その後項目となる１項目の各文字における上半分を表示することを特徴とする項目表示方法。
【請求項７】
前記表示手段に関する動きを検出し、検出結果に基づき、表示内容を点滅させながら同時に表示内容を変更するようにしたことを特徴とする請求項１記載の項目表示方法。
【発明の詳細な説明】
【技術分野】
【０００１】
本発明は、多数の項目から所望の項目を検索する項目表示方法に関し、特にハードディスクやフラッシュメモリ等の記録媒体に記録された多数の楽曲から所望の楽曲を検索するのに好適な項目表示方法に関するものである。
【背景技術】
【０００２】
近年、ハードディスクやフラッシュメモリを備え、数千曲分の楽曲（音楽データ）を記録できるオーディオ装置が普及し始めている。音楽データには、曲名、アルバム名及びアーティスト名等のデータが付加されており、操作者はハードディスクやフラッシュメモリなどの記録媒体に記録されている楽曲から所望の楽曲を、曲名、アルバム名又はアーティスト名により検索することができる。
【０００３】
特許文献１などに示されるように、従来技術は、操作者が所望の楽曲を検索する場合、所定の操作を行うと、例えばフラッシュメモリに記録されている楽曲の曲名が文字コード順にソートされて表示手段に表示される。図８は従来の機器での表示の一例を示している。図８に示すように、表示手段には機器の筐体が大きければ一度に数曲分（図８の例では７曲分）の曲名表示が可能である。しかし、一般的に、オーディオ装置は筐体の更なる小型の要求が厳しく、表示手段を用いて一度に表示できる曲数は２〜３行程度しかない。
【特許文献１】特開２００５−４８９１号公報
【発明の開示】
【発明が解決しようとする課題】
【０００４】
上述したように、表示手段を備える機器の小型が進み、表示手段の曲名表示に用いることができる行数が少なくなることで、従来の検索方法より検索に必要な情報量が少なくなる。具体的には、１行に１曲分の表示をしていれば、７行では７曲分表示できるが、３行では３曲分しか表示できない。つまり、曲名の表示に用いることができる行数の減少にともない、１画面で認識できる曲数も減少する。このことにより、検索時間の増加や操作性の悪化などの検索性能の劣化を招くという課題がある。
【０００５】
本発明はこのような従来の課題を解決するもので、表示手段が少ない曲名表示行数しかもたない場合であっても、多数の曲名表示行数をもつ表示手段と同等の曲表示を実現し、検索時間や操作性などの検索性能を改善した項目表示方法を提供することである。
【課題を解決するための手段】
【０００６】
この課題を解決するために本発明は、所定の順序で配列された複数の項目を、操作手段からの信号に応じて表示手段に表示する方法であって、前記表示手段が、Ｎ行（Nは２以上の整数）のうちＮ−１行を行方向で略中央部となるところに配置し、前記N−１行の上の部分に、その前項目となる１項目の特定部分を表示し、前記Ｎ−１行の下の部分に、その後項目となる１項目の特定部分を表示することを特徴とする。
【０００７】
或いは、前記Ｎ−１行の上の部分に表示される１項目は、その下半分を特定部分として表示し、前記Ｎ−１行の下の部分に表示される１項目は、その上半分を特定部分として表示してもよい。
【０００８】
或いは、前記Ｎ−１行の上の部分に表示される１項目は、そのフォントの最下段を除く下半分を特定部分として表示し、前記Ｎ−１行の下の部分に表示される１項目は、そのフォントの最上段を除く上半分を特定部分として表示してもよい。
【０００９】
或いは、前記表示されている行において、今後再生されるべき曲に対する表示面積を今後再生されない曲に対する表示面積より大きくしてもよい。
【００１０】
或いは、前記Ｎ−１行の上の部分に表示される１項目は、その後半部を特定部分として表示し、前記Ｎ−１行の下の部分に表示される１項目は、その前方部を特定部分として表示してもよい。
【００１１】
或いは、スクロール表示時はＮ行を表示してもよい。
【００１２】
或いは、前記表示手段に関する動きを検出し、検出結果に基づき、表示内容を点滅させながら同時に表示内容を変更するようにしてもよい。
【発明の効果】
【００１３】
以上のように本発明によれば、表示手段の表示可能行数が少ない場合であっても、操作者の持つ連想能力によってより多くの曲表示を実質的に表示することができる。さらに、機器を動かすことによって、操作者の目による残像効果を用いて多数の表示可能行数をもつ表示手段と同等以上の曲表示を実現することができる。
【発明を実施するための最良の形態】
【００１４】
以下、本発明を実施するための最良の形態について、図面を参照しながら説明する。
【００１５】
（実施の形態１）
図１は本発明の実施の形態１における項目表示方法の一実施例を実現するオーディオ装置の構成を示すブロック図である。この図において、制御手段１は、例えばマイクロコンピュータなどであり、記録媒体２から読み出した音楽データから付加データを分離抽出したり、圧縮されている音楽データをデジタルのオーディオデータに復号するなどの処理を行う。
【００１６】
記録媒体２は、例えばフラッシュメモリやハードディスクなどであり、多数の楽曲（音楽データ）を記録している。音楽データには、曲名、アルバム名及びアーティスト名およびそれらの読み（平仮名または片仮名）等の付加データが付加されており、操作者は記録媒体に記録されている楽曲を検索する際、曲名、アルバム名又はアーティスト名を検索項目としてもちいる。
【００１７】
操作手段３は、例えばエンター（Enter）機能付きロータリーエンコーダ（所謂ジョグダイヤル）や複数ＫＥＹなどであり、検索時は曲名の送り／戻しや選曲決定、再生時は楽曲の再生開始や停止、音量のＵｐ／Ｄｏｗｎなどを行うための操作者とのインターフェースを行う入力手段である。
【００１８】
表示手段４は、例えば液晶パネルや有機ＥＬパネルなどであり、動作状況に応じて、操作メニューや再生中の楽曲の曲名、アーティスト名、アルバム名、または演奏時間を表示したり、検索中であれば、楽曲名の曲名リストなどを表示する。なお、表示するためのデータや情報は、制御手段１から提供され、このデータを如何に処理して表示するかは、後に説明する。
【００１９】
ＤＡ変換手段５は制御手段１から出力されるデジタルのオーディオ信号をアナログのオーディオ信号に変換し、スピーカやヘッドホン（図示せず）に供給する。
【００２０】
以下、図２、図３を用いて、以上のように構成されたオーディオ装置における本発明の項目表示方法について説明する。図２は本発明の実施の形態１における項目表示方法を実装したオーディオ装置２０を示す外観図である。この図において、表示窓２１が表示手段４に相当し、ここでは２行分の表示が可能となっており、表示される文字は、１２×１２ドットのフォントによって構成されている。再生キー２２が操作手段３に相当する。イヤホンジャック２３にはＤＡ変換手段５出力が与えられている。
【００２１】
図３（Ａ）〜（Ｅ）は、オーディオ装置２０における表示窓２１に表示される内容の一例を示す図である。表示窓２１の表示可能行数は２行であるが、図３（Ａ）に示す様に、再生開始キー２２を押すことにより再生される曲の曲名（例では、「逢えない夜には」）を表示している行の前後にある曲名に対しては、各曲名のフォントの半分のみ（前の行は下半分、後の行は上半分）を表示するようになっている。
【００２２】
このようにすることで、再生可能曲名の前後に配置される曲名２曲分確認でき、再生可能曲名を含め３曲分の曲名表示を２行分の表示スペースを用いて可能にしている。最上段の行と最下段の行は、フォントの半分しか表示されていないが、操作者にとっては、よく見慣れ聞き慣れた曲名であるので、フォントが半分隠された形であっても充分にどの曲であるかがを想でき、推測可能である。
【００２３】
図３（Ｂ）は、最上段と最下段の行に表示される文字において、そのフォントの一番下のラインと一番上のラインを表示せず、より中央部に近い部分を表示するようにした場合の実施例である。通常、文字には中央部にその特徴が多く含まれることが多いため、このように、より中心部に近いところを表示することができ、より表示内容を分かり易くすることができる。しかも、各フォントにおける表示部分（切り出し部分）を変えるだけであって、例えば、文字をやや縮小して表示しているのではないため、ズーム時のようなフィルタ処理が不要となり、制御手段１にとっても表示に対する処理負荷を殆ど増加させずに済む。
【００２４】
図３（Ｃ）は、再生開始キー２２を押すことにより再生される曲の曲名（例では、「逢えない夜には」）を表示している行の前後にある曲名に対して、次に再生される曲の曲名に対するフォントは半分よりもやや大きめに表示し、既に再生された、或いは、今後再生される予定でない曲の曲名に対するフォントは半分よりもやや小さめに表示したものである。
【００２５】
このようにすることで、次に再生される曲が何であるかをより分かり易くすることができる。再生済みの曲に対する表示はやや小さくなるが、操作者にとっては、既に聞き終えた曲であるので、フォントが半分以上隠された形であってもそれがどの曲であるかは容易に連想、推測可能である。
【００２６】
図３（Ｄ）は曲を検索するとき、即ち、表示をスクロールさせる時の表示について示したものである。曲再生中は、図３（Ａ）〜（Ｃ）のとおりに表示されるが、スクロール時には図３（Ｄ）に示すとおりに表示するようにしている。このようにすることにより、どのような文字が現れるかが推測しにくい曲検索時には文字がすべて表示されるようにし、検索が終了したら文字の一部を削る形で表示される曲目数を増やすようにしている。
【００２７】
図３（Ｅ）は文字を斜めに配置した場合について示している。このように配置することにより、現在再生中の曲に対する表示はすべてが表示され、最上位行の表示はその行の後ろに行くほど文字全体が表示され、最下位行はその行の先頭へ行くほど文字全体が表示される。このように配置しても操作者に取っては最上位行、最下位行とも、その曲に対する表示を連想することができる。なお、最上位行については、後ろへ行くほど文字全体が表示されるため、行全体を右詰めにして表示するようにしている。
【００２８】
図３（Ｆ）は文字を水平に配置する代わりに、表示手段４を斜めにした場合について示している。このようにしても図３（Ｅ）と同様の効果を得ることができる。
【００２９】
なお、上記実施例では、表示窓２１の幅を２行（Ｎ＝２）として説明したがこれに限定されるものではなく、表示可能行数以上の曲を表示するために、最上位行と最下位行の表示を横方向に一部削除して表示する場合はすべて本発明の範囲内である。例えば、表示手段４の表示可能行数が３行（Ｎ＝３）の場合は、２行を略中央部に配置し、その上下に図３（Ａ）〜（Ｆ）に示すような特定部分を表示すればよい。また、その際において、上記実施例では、フォントサイズを変更せずに表示するようにしているが、無論、フォントサイズを縮小して表示するようにしても良いことは言うまでもない。
【００３０】
更に、上記実施の形態では、本発明を楽曲の検索に使用した場合について説明したが、これにより本発明の適用範囲が楽曲の検索に限定されるものでないことは勿論である。例えば、本発明は地名の検索や電子辞書の表示等、種々の分野に適用することができる。
【００３１】
また、上記説明で用いた手法を組み合わせても良いことは言うまでもなく、例えば、図３（Ｃ）に図３（Ｂ）の方法を組み合わせれば、より判り易い表示となることが期待できる。
【００３２】
（実施の形態２）
図４は本発明の実施の形態２における項目表示方法の一実施例を実現するオーディオ装置の構成を示すブロック図である。この図において、図１と同一機能を有するブロックについては同一の符号を付し細かな説明は省略する。振動検出手段５１はオーディオ装置２０が縦方向に揺すられるとその振動、具体的には、動く方向の変化を検出するものである。例えば、振り子のおもりをマイクロスイッチで挟むようにし、おもりが当たるとマイクロスイッチが閉じてパルスを発生するようなものでよい。
【００３３】
次に、図４に示す制御手段４１の動作について図５、図６とともに説明する。オーディオ装置２０が操作者によって上下に振られると、振動検出手段５１が振動を検出し、パルス信号を発生する。ここでは振動検出手段５１として、前述の振り子を用いた検出器を用いており、振動を加えると図６（Ａ）、（Ｂ）に示すようなパルス信号を発生する。時刻ｔ＝ｔ０におけるパルスは、オーディオ装置２０の振動方向が上方向から下方向に変わったときに発生するパルスであり、時刻ｔ＝ｔ１におけるパルスは、オーディオ装置２０の振動方向が下方向から上方向に変わったときに発生するパルスである。
【００３４】
ステップ６０でこのパルス信号を検出し、ステップ６１においてパルス信号の平均周期を検出する。具体的には、図６における期間Ｔ１、Ｔ１’、Ｔ１”の平均を求める。次にステップ６２において表示窓２１の文字を点灯するタイミングを算出する。ここでは、現在再生中の曲とその前後２曲、都合５行分の情報を表示するようにしているので、前述の期間Ｔ１を５で割った値を求めることになる。次にステップ６３に移動し、表示の初期設定を行う。つまり、最初に表示する文字をセットする。ここでは現在再生中の曲の２曲前に当たる「赤い彗星」がセットされ、オーディオ装置２０の振動方向が下から上に変化するタイミングを待つ（ステップ６４）。
【００３５】
ステップ６５で方向反転を待ち、一定時間内に方向反転が検出されると（ステップ６６）、先ほどステップ６４で下方向から上方向への変化を待ったので、この方向反転は上方向から下方向への方向反転となる。方向反転が検出されると直ちにステップ６８により表示が点灯、消灯、即ち、短時間点灯される。次いで、次行の表示がセットされ（ステップ６９）、最終行でなければ（ステップ７０）所定時間、ここではＴ１／５、経過後（ステップ７１）ステップ６８に戻って表示の点灯、消灯が行われる。
【００３６】
図６（Ｃ）は表示窓２１にセットされているデータを示しており、図６（Ｄ）はステップ６８による点灯・消灯操作によって発生するパルス信号を示している。
【００３７】
ステップ６９でセットされた行が最終行であった場合は、ステップ７０においてＹｅｓが選択され、ステップ６５に戻る。以降、ステップ６５で方向反転を待ち、一定時間内に方向反転が検出されると（ステップ６６）、直ちにステップ６８により表示が点灯、消灯され、次行の表示がセットされ（ステップ６９）、前述と同様の操作が繰り返される。
【００３８】
ステップ６６において、所定時間経過が検出される場合とは、オーディオ装置２０を振ることが中止されたことを意味するので、オーディオ装置２０を降り始める前の表示に戻すよう操作される（ステップ６７）。
【００３９】
このように操作することにより、表示窓２１から異なった表示が次々と周期的に点滅し、オーディオ装置２０の物理的な位置も周期的に変化しているので、図７に示すように、操作者の目による残像効果を用いる形で５行分曲に関する情報を見ることが可能となる。図６との関係で示せば、Ｓ１のタイミングで「赤い彗星」、Ｓ２で「林檎追分け」、Ｓ３で「逢えない夜には」、Ｓ４で「祭りのあと」、Ｓ５で「夏休み」と言う様に動きにあわせ次々に点灯、点滅する。特に表示手段２１が有機ＥＬのように自ら発光するものであればその効果は大きいものである。
【００４０】
なお、上記実施の形態においては、表示する行数（平均周期の分割数）を５行とした場合について説明したが無論これに限ったものではない。また、振動検出手段５１として、振り子を用いてオーディオ装置２０が動く方向が反転する時点を検出するようにしたが、無論これもこれに限ったものではなく、例えば加速度センサを用いてより精密にオーディオ装置２０が動く速さ、或いはオーディオ装置２０の位置の変化を検出するようにし、表示が点灯・消灯するタイミングをより正確に制御するようにしても良い。更には、上記実施例においては上下方向のみにオーディオ装置２０を振る場合について述べたが、左右方向に振り、行方向で普段隠れて見えない文字を表示するようにしてもよい。
【００４１】
また、上下に振ったときの発光箇所を中央の文字１行としたが、例えば、有機ＥＬのような発光素子を用いた場合、発光する素子の幅を、縦方向＝素子１ドット、横方向＝表示窓の幅、としても良い。
【産業上の利用可能性】
【００４２】
本発明に掛かる項目表示方法は、表示手段が少ない表示行数しかない場合であっても、多数の表示行数をもつ表示手段と同等の曲表示を実現しており、再生専用のオーディオ装置に代表されるＡＶ機器のみならず、例えば携帯用電子辞書、携帯電話等、より小型であることが望まれ、しかも表示手段が必要なものすべてに適応できる。
【図面の簡単な説明】
【００４３】
【図１】本発明の実施の形態１による項目表示方法を実施するオーディオ装置の構成を示すブロック図
【図２】同項目表示方法を用いたオーディオ装置を示す外観図
【図３】同項目表示方法により表示される項目の具体表示例を示す模式図
【図４】本発明の実施の形態２による項目表示方法を実施するオーディオ装置の構成を示すブロック図
【図５】同項目表示方法を実施するオーディオ装置の動作を示すフロー図
【図６】同項目表示方法を実施するオーディオ装置の各ブロックの動作を示すタイミング図
【図７】同項目表示方法を用いたオーディオ装置における表示例を示す模式図
【図８】従来の表示手段を用いて曲名を表示する一例を示す概念図
【符号の説明】
【００４４】
１、４１    制御手段
２    記憶媒体
３    操作手段
４    表示手段
５    ＤＡ変換手段
５１    振動検出手段
【図１】
2007122430.tif 000003
【図２】
2007122430.tif 000004
【図３】
2007122430.tif 000005
【図４】
2007122430.tif 000006
【図５】
2007122430.tif 000007
【図６】
2007122430.tif 000008
【図７】
2007122430.tif 000009
【図８】
2007122430.tif 000010